(57)【要約】【課題】  遠赤外線により発汗作用を促進させるとともに、檜の含有成分に起因するリラクゼーションにより、より快適な岩盤浴を実現させるための岩盤浴用ベッドを提供する。【解決手段】  角閃石の平板４を配設して、該平板の周囲に檜の平板３を配設させ、該角閃石の平板４及び檜の平板３の下方から加熱し、該角閃石の平板４及び該檜の平板３の上表面の温度を３８℃〜４０℃に保持することを特徴とする岩盤浴用ベッド１を構成することにより、上記課題の解決を図る。【選択図】      図１
2006288713.tif 000002
【特許請求の範囲】
【請求項１】
角閃石の平板を配設して、該平板の周囲に檜の平板を配設させ、該角閃石の平板及び檜の平板の下方から加熱し、該角閃石の平板及び該檜の平板の上表面の温度を３８℃〜４０℃に保持することを特徴とする岩盤浴用ベッド。
【請求項２】
前記檜の平板は、複数の平板から構成され、該平板の上表面に凹部が設けられていることを特徴とする請求項１に記載の岩盤浴用ベッド。
【請求項３】
前記岩盤浴用ベッドは、さらに、
前記角閃石の平板と前記檜の平板との間に、ヒーリング鉱石とゲルマニウムセラミックボールとラジウムセラミックプレートとのうち少なくともいずれか１つが配設されていることを特徴とする請求項１又は２に記載の岩盤浴用ベッド。
【発明の詳細な説明】
【技術分野】
【０００１】
本発明は、岩盤浴のためのベッドに関する。
【背景技術】
【０００２】
岩盤浴は、温められた石の上に横たわり、遠赤外線や放射線、マイナスイオンなどの作用で体をじわじわと温めるものであり、近年注目されている。
例えば、特許文献１では、放射体の遠赤外線効果を利用し低温で十分な湿気を伴うため長時間利用することができ、施設の施工時等の作業性や保温効果に優れ、衛生的で耐久性や省資源性に優れたサウナ用ベッド等が開示されている。
【０００３】
また、特許文献２では、波動温熱浴盤の上に衣服を着けたまま横臥するだけで遠赤外線の効果により、入浴以上の発汗作用を得る波動温熱浴の方法が開示されている。また、特許文献３では、トルマリン鉱石をモルタル等で固めた平坦な岩盤等で構成されるベッド等が開示されている。
【特許文献１】特開２００４−１９４９２３号公報
【特許文献２】特開２００４−２６１５４７号公報
【特許文献３】特開２００４−１３００４７号公報
【発明の開示】
【発明が解決しようとする課題】
【０００４】
本発明では、遠赤外線により発汗作用を促進させるとともに、檜の含有成分に起因するリラクゼーションにより、より快適な岩盤浴を実現させるための岩盤浴用ベッドを提供する。
【課題を解決するための手段】
【０００５】
本発明の岩盤浴用ベッドは、角閃石の平板を配設して、該平板の周囲に檜の平板を配設させ、該角閃石の平板及び檜の平板の下方から加熱し、該角閃石の平板及び該檜の平板の上表面の温度を３８℃〜４０℃に保持する。
【０００６】
また、本発明の岩盤浴用ベッドにおいて、前記檜の平板は、複数の平板から構成され、該平板の上表面に凹部が設けられている。
また、本発明の岩盤浴用ベッドは、さらに、前記角閃石の平板と前記檜の平板との間に、ヒーリング鉱石とゲルマニウムセラミックボールとラジウムセラミックプレートとのうち少なくともいずれか１つが配設されている。
【発明の効果】
【０００７】
本発明を用いることにより、遠赤外線により発汗作用を促進させるとともに、檜の含有成分に起因するリラクゼーションにより、より快適な岩盤浴を行うことができる。
【発明を実施するための最良の形態】
【０００８】
＜第１の実施形態＞
図１は、本実施形態における岩盤浴用ベッドの上面図を示す。岩盤浴用ベッド１は、枠２、檜プレート３、岩盤プレート４より構成される。檜プレート３は、枠２内に複数敷き詰められている。また、檜プレートの表面は複数の凹部３ａ（この穴はプレートを貫通しておらず、凹面となっている。）が形成されている。岩盤プレート４は、岩盤浴用ベッド１の中央部分に敷き詰められて、その周りには檜プレート３が敷き詰められている。岩盤プレート４は、例えば、角閃石、等の温められると遠赤外線を放射する性質の岩盤を材料としている。
【０００９】
本実施形態では岩盤面部分には複数の平板（岩盤プレート４）を敷き詰めているが、これに限定されず、例えば１枚の岩盤プレート４を用いても良い。また、敷き詰められた岩盤プレート４は、岩盤プレート４の上に横たわった利用者の体がほぼ収まるような広さが確保されている。また、本実施形態では檜面部分は複数の平板（檜プレート３）を敷き詰めているが、これに限定されず、例えば１枚の檜の平板から岩盤面部分となる部分を刳り抜いたものを用いても良い。
【００１０】
図２は、本実施形態における岩盤浴用ベッドの側面断面図を示す。岩盤浴用ベッド１の断面は、枠２、檜プレート３、岩盤プレート４、下地防水材１０、下地材１１、発熱材１２、断熱材１３、断熱材１４、下地材１５、補強材１６から構成される。例えばステンレス等で構成された下地材１５が岩盤浴用ベッド１の底部として枠５に固定されている。下地材１５の上面には、例えば発泡ウレタン等の断熱材１４が充填されている。さらに、その上からは合板等で構成された断熱材１３が設けられている。
【００１１】
断熱材１３の上面には、例えば発熱材１２（例えば、発熱フィルム等）がさらに設けられている。発熱材１２の上面には例えば合板等の下地材１１が設けられている。さらに、その上面には、例えばステンレスで構成された下地防水材１０が設けられている。下地防水材１０の上面に、岩盤プレート４または檜プレート３が設けられている。また、下地材１５の底面の一部分には岩盤浴用ベッド１の底部を補強するための補強材（例えばステンレス製）が設けられている。
【００１２】
発熱材１２には不図示の電力を供給するための電源供給ケーブルが設けられている。電源供給ケーブルより電力が供給されると発熱材１２は熱を発する。この熱は、下地材１１及び下地防水材１０を介して、岩盤浴用ベッド１の上面の岩盤プレート４及び檜プレート３に伝達される。なお、岩盤プレート４及び檜プレート３の表面温度が、３８℃〜４０℃付近となるように熱量を調整する。
【００１３】
その熱により温められた岩盤プレート４は遠赤外線を放射する。また、その熱により温められた檜プレート３からは、檜の成分であるフィトンチッドやヒノキチオールが発散する。なお、このフィトンチッドやヒノキチオールの発散量を増加させるために、上述のような凹部３ａを設けて檜プレート３の表面積を大きくしている。
【００１４】
以下では、岩盤浴用ベッド１の作用について説明する。岩盤浴用ベッド１を用いて岩盤浴を行う際、利用者は、まず岩盤浴用ベッド１に横たわる。このとき、岩盤プレート４及び檜プレート３の表面温度は３８℃〜４０℃付近となるように熱量を調整されている。
【００１５】
そうすると、岩盤プレート３の表面から放射される遠赤外線により、利用者の体は芯から温められる。よって、血管が拡張し、血液循環がよくなり、新陳代謝が促進される。また、冷え性、肩こり、むくみに効果がある。また、老廃物の排除を高め、血液をサラサラにし、体内酵素を活性させる。また、熱浸透が良く、発汗作用があり、美肌効果を高める。また、疲労回復を図ることができる。また、檜プレート３からはフィトンチッドやヒノキチオールが発散しているため、その成分を吸引することにより、リラクゼーション効果を高めることができる。
【００１６】
＜第２の実施形態＞
図３は、本実施形態における岩盤浴用ベッドの上面図を示す。岩盤浴用ベッド２１は、枠２２、檜プレート２３、岩盤プレート２４、ヒーリング鉱石等が敷き詰められた領域２５、ラジウムセラミックプレート２６より構成される。枠２２、檜プレート２３、岩盤プレート２４については、図１と同様である。なお、本実施形態では、檜プレート２３は、４枚の板を用いているが、これに限定されず、図１のように、さらに小さいプレートを敷き詰めてもよいし、さらに、プレート表面に凹部を設けても良い（図４参照）。
【００１７】
本実施形態は、第１の実施形態に、さらに、ヒーリング鉱石２５、ラジウムセラミックプレート２６を設けた点が異なる。したがって、断面図は岩盤浴用ベッド２１の上面部分を除いて、図２と同様である。檜プレート２３と岩盤プレート２４との間に、複数のヒーリング鉱石（例えば、水晶、トルマリン、ヘマタイト、アメジスト、瑪瑙、オニキス等）が敷き詰められている。さらに、ゲルマニウムセラミックボールも敷き詰められている。また、ヒーリング鉱石等が敷き詰められた領域２５の所々に、ラジウムセラミックプレート２６が設けられている。
【００１８】
岩盤プレート２４部分は、利用者が仰向けで横になった場合、背骨からわき腹あたりにかかる程度の幅である。また、ヒーリング鉱石等が敷き詰められた領域２５は、わき腹から肩にかかる程度の幅である。
【００１９】
以下では、岩盤浴用ベッド２１の作用について説明する。岩盤浴用ベッド１を用いて岩盤浴を行う際、利用者は、まず岩盤浴用ベッド１に横たわる。そうすると、岩盤プレート２４及び檜プレート２３の表面は約３８℃〜４０℃に温められているため、第１の実施形態と同様に岩盤プレート２４及び檜プレート２３に起因する効果が得られる。さらに、ヒーリング鉱石、ゲルマニウムセラミックボール、ラジウムセラミックプレート２６も同様に温められているため、それらによる効果も得られる。
【００２０】
ヒーリング鉱石の効果とは、各鉱石の特性に応じて、精神安定、感情の沈静化、生体活性、酔い覚まし、炎症の緩和、集中力の向上等を図ることである。ラジウムセラミックプレート２６の効果とは、美肌効果、血行促進等である。
【００２１】
ゲルマニウムセラミックボールの効果とは、ゲルマニウムに起因する効果のことである。すなわち、ゲルマニウムは接触面が３２度以上になると微弱な電流が流れる特徴があり、マイナス自由電子が飛び出し、乱れた生体の電子バランスを整え、異常電位を正常にして細胞の活性化に働きかける。この電気は皮膚に作用して温熱効果をもたらし、血行を良くして、冷え、筋肉のコリ等を緩和させ、免疫も正常になる。腰痛、アトピー等にも効果があり、自然治癒力を高める。
【図面の簡単な説明】
【００２２】
【図１】第１の施形態における岩盤浴用ベッドの上面図を示す。
【図２】第１の実施形態における岩盤浴用ベッドの側面断面図を示す。
【図３】第２の施形態における岩盤浴用ベッドの上面図を示す。
【図４】第２の施形態における岩盤浴用ベッドの上面図（図３の変形例）を示す。
【符号の説明】
【００２３】
１，２１  岩盤浴用ベッド
２，２２      枠
３，２３      檜プレート
４，２４      岩盤プレート
１２    発熱材
【図１】
2006288713.tif 000003
【図４】
2006288713.tif 000004
【図２】
2006288713.tif 000005
【図３】
2006288713.tif 000006